【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
多層体の製造方法であって、
ａ）水性フォトレジストからなる第１ニス層を基体の表面に塗布し、
ｂ）第１領域において前記第１ニス層を露光する一方、第２領域において前記第１ニス層を露光せず、
ｃ）前記第２領域において前記第１ニス層を除去することを特徴とする多層体の製造方法。
【請求項２】
請求項１に記載の方法であって、
前記基体は、溶剤系ニスからなる少なくとも１つの第２ニス層を有することを特徴とする多層体の製造方法。
【請求項３】
請求項１又は２に記載の方法であって、
前記第１ニス層が、前記第２ニス層の表面に塗布されることを特徴とする多層体の製造方法。
【請求項４】
請求項１から３の何れか一項に記載の方法であって、
前記第１ニス層に対し、少なくとも１つの層が塗布されることを特徴とする多層体の製造方法。
【請求項５】
請求項４に記載の方法であって、
前記少なくとも１つの層の塗布後、前記第１ニス層及び前記少なくとも１つの層が前記第１領域から除去されることを特徴とする多層体の製造方法。
【請求項６】
請求項５に記載の方法であって、
前記第１ニス層及び前記少なくとも１つの層は、酸性のメタ過ヨウ素酸ナトリウム溶液、具体的には１．５重量％のメタ過ヨウ素酸ナトリウム及び０．０５重量％の硫酸の水溶液、を用いた処理により除去されることを特徴とする多層体の製造方法。
【請求項７】
請求項６に記載の方法であって、
前記酸性のメタ過ヨウ素酸ナトリウム溶液を用いた処理は、温度１５℃から７０℃、好ましくは２５℃から５０℃で、及び／又は、処理時間１秒〜６００秒、より好ましくは１０秒〜１２０秒で行われ、
非イオン性界面活性剤を前記酸性のメタ過ヨウ素酸ナトリウム溶液に加える方法において、
前記メタ過ヨウ素酸ナトリウム溶液は、具体的には、エトキシレート、第一級又は第二級脂肪族アルコールのアルコキシレート、アルキルフェノール、エチレンオキシド／プロピレンオキシド共重合体、アミンエトキシレート、アルキルポリグリコライド、脂肪族アミンオキシド、脂肪酸アルカノールアミド、脂肪酸アルキルグルカミド、からなるグループから選択されることを特徴とする多層体の製造方法。
【請求項８】
請求項４から７の何れか一項に記載の方法であって、
前記少なくとも１つの層は、第３ニス層、具体的には溶剤系ニスからなる第３ニス層である、若しくは、を含み、及び／又は
前記少なくとも１つの層は、反射層である、若しくは、を含むことを特徴とする多層体の製造方法。
【請求項９】
請求項８に記載の方法であって、  
前記第１ニス層は、前記基体の反射層に塗布され、前記少なくとも１つの層の塗布前に、前記基体の前記反射層が前記第１領域において、具体的にはエッチングによって除去され、及び／又は
前記第１ニス層は、前記基体の表面の部分領域にのみ塗布されることを特徴とする多層体の製造方法。
【請求項１０】
請求項１から９の何れか一項に記載の方法であって、
前記第１ニス層及び／又は前記少なくとも１つの層の部分領域にエッチングレジストを塗布すると共に、前記エッチングレジストによって覆われていない領域において、前記第１ニス層及び／又は前記少なくとも１つの層を除去することを特徴とする多層体の製造方法。
【請求項１１】
請求項１から１０の何れか一項に記載の方法であって、
前記露光は、前記基体の側面から行われることを特徴とする多層体の製造方法。
【請求項１２】
請求項１１に記載の方法であって、
前記基体は少なくとも１つの部分層、具体的には第４ニス層及び／又は反射層、を備え、前記部分層は、前記第１領域において、前記第１ニス層の露光に用いられる波長域に対して透明である一方、前記第２領域において、前記第１ニス層の露光に用いられる波長域に対して非透明であることを特徴とする多層体の製造方法。
【請求項１３】
請求項１から１２の何れか一項に記載の方法であって、
前記第２領域の前記第１ニス層を除去するために、イソプロパノール、具体的には１％から３０％のイソプロパノール、好ましくは５％のイソプロパノールが加えられた水を用いることを特徴とする多層体の製造方法。
【請求項１４】
請求項１から１３の何れか一項に記載の方法であって、
前記第１ニス層の塗布のために、少なくとも１つの水溶性ポリマーと、少なくとも１つのフィルム形成ポリマーと、少なくとも１つの添加剤と、少なくとも１つの光開始剤と、を含む水性フォトレジストを用いることを特徴とする多層体の製造方法。
【請求項１５】
請求項１から１４の何れか一項に記載の方法であって、
前記第１及び／又は第２及び／又は第３及び／又は第４ニス層は、着色剤、具体的には、多色あるいは無色の顔料及び／若しくは効果顔料、ＵＶ−励起蛍光顔料、薄膜システム、コレステリック液晶、染料、並びに／又は、金属若しくは非金属のナノ粒子を含み、加えて／あるいは、
前記第１及び／又は第２及び／又は第３及び／又は第４ニス層は、それぞれ異なる着色剤を有し、加えて／あるいは、
前記第１及び／又は第２及び／又は第３及び／又は第４ニス層に対し、グラフィックモチーフ、英数字、ロゴ、画像、パターン、特にギロシェパターンの形状が適用されることを特徴とする多層体の製造方法。
【手続補正２】
【補正対象書類名】明細書
【補正対象項目名】００６２
【補正方法】変更
【補正の内容】
【００６２】
また、第１ニス層の塗布に関しては、少なくとも１つの水溶性ポリマーと、少なくとも１つのフィルム形成ポリマーと、少なくとも１つの添加剤と、少なくとも１つの光開始剤と、を含む水性フォトレジストが用いられる。
【手続補正３】
【補正対象書類名】明細書
【補正対象項目名】００６６
【補正方法】変更
【補正の内容】
【００６６】
また、フィルム形成ポリマーは、以下のグループから選択されることが好ましい。即ち、ポリ酢酸ビニル樹脂、エチレン‐酢酸ビニルコポリマー、酢酸ビニル‐アクリル酸コポリマー、アクリルコポリマー、ポリウレタンコポリマー、ポリアクリレート、ポリウレタン、ポリエステル及び／又はエポキシ樹脂、ポリビニルピロリドン、ウレタンアクリレート、からなるグループから選択されるのが好ましい。
【手続補正４】
【補正対象書類名】明細書
【補正対象項目名】００６７
【補正方法】変更
【補正の内容】
【００６７】
フィルム形成ポリマーはニスの中で分散され、露光及び乾燥後、該ニスの実マトリクスを形成する。
【手続補正５】
【補正対象書類名】明細書
【補正対象項目名】００６８
【補正方法】変更
【補正の内容】
【００６８】
また、フィルム形成ポリマーは、水性フォトレジスト中に、１重量％から５０重量％、好ましくは１０重量％から３０重量％の濃度で含まれる。
【手続補正６】
【補正対象書類名】明細書
【補正対象項目名】００９７
【補正方法】変更
【補正の内容】
【００９７】
キャリアプライ２１は安定したベースプライを形成する。該ベースプライには、別の層複合体２２を積層することができ、好ましくは、ポリエステル、ポリオレフィン、ポリビニル、ポリイミド、ＡＢＳからなる。特に、４μｍから７５μｍ、好ましくは６μｍから５０μｍ、より好ましくは９μｍから２６μｍの層厚さを有するＰＥＴ，ＰＣ，ＰＰ，ＰＥ，ＰＶＣ，ＰＳからなるのが好ましい。
【手続補正７】
【補正対象書類名】明細書
【補正対象項目名】０１１３
【補正方法】変更
【補正の内容】
【０１１３】
水溶性ポリマーは、好ましくは水性フォトレジスト中に、１重量％から５０重量％、好ましくは１重量％から２０重量％の濃度で含まれる。また、フィルム形成ポリマーは以下のグループから選択される：ポリ酢酸ビニル樹脂、エチレン‐酢酸ビニルコポリマー、酢酸ビニル‐アクリル酸コポリマー、アクリルコポリマー、ポリウレタンコポリマー、ポリアクリレート、ポリウレタン、ポリエステル及び／又はエポキシ樹脂、ポリビニルピロリドン、ウレタンアクリレート。
【手続補正８】
【補正対象書類名】明細書
【補正対象項目名】０１１４
【補正方法】変更
【補正の内容】
【０１１４】
フィルム形成ポリマーはニスの中で分散され、露光及び乾燥後、該ニスの実マトリクスを形成する。
【手続補正９】
【補正対象書類名】明細書
【補正対象項目名】０１１５
【補正方法】変更
【補正の内容】
【０１１５】
また、フィルム形成ポリマーは、水性フォトレジスト中に、１重量％から５０重量％、好ましくは１０重量％から３０重量％の濃度で含まれる。
【手続補正１０】
【補正対象書類名】明細書
【補正対象項目名】０１５０
【補正方法】変更
【補正の内容】
【０１５０】
また、その後の処理において、エッチングレジスト５２が第１ニス層３及び部分ニス層２３に対し部分的に塗布される。そして、エッチングレジスト５２によって覆われていない部分において第１ニス層３及び部分ニス層２３が除去される。